(57)【要約】  カートンは、いくつかの容器を収容し、各容器（１）は、実質的に直方体の形態を有し、かつ蓋（１１）、箱（１０）、及び箱に取り付けられた内側フレーム（２０、２１、２２、２３、２４、２５、２６）を含む。各内側フレームは、前壁（２０１、２１１、２２１、２３１、２４１、２５１、２６１）と、２つの側壁（２００、２１０、２２０、２３０、２４０、２５０、２６０）とを有し、内側フレームの各前壁は、切欠き部分（２０２、２１２、２２２、３２、２４２、２５２、２６２）及び延長部分（２０３、２１３、２２３、２３３、２４３、２５３、２６３）を有し、切欠き及び延長部分の形状は、カートン内の容器の少なくとも２つに対して異なっている。【選択図】図２
2012532801.tif 000002
【特許請求の範囲】
【請求項１】
いくつかの容器を収容するカートンであって、
各容器（１）が、実質的に直方体の形態を有し、かつ蓋（１１）と、箱（１０）と、該箱に取り付けられた内側フレーム（１１、２０、２１、２２、２３、２４、２５、２６）とを含み、各内側フレームが、前壁（２０１、２１１、２２１、２３１、２４１、２５１、２６１）と、２つの側壁（２００、２１０、２２０、２３０、２４０、２５０、２６０）とを含み、内側フレームの各前壁が、切欠き部分（２０２、２１２、２２２、３２、２４２、２５２、２６２）及び延長部分（２０３、２１３、２２３、２３３、２４３、２５３、２６３）を有し、
前記切欠き及び延長部分の形状が、前記容器の少なくとも２つに対して異なっている、
ことを特徴とするカートン。
【請求項２】
同じカートン内に収容された前記容器の前記内側フレーム（２０、２１、２２、２３、２４、２５、２６）の各々の前記切欠き部分（２０２、２１２、２２２、２３２、２４２、２５２、２６２）の前記形状は、該同じカートンに収容された全ての他の容器の前記内側フレームの前記切欠き部分の前記形状とは異なることを特徴とする請求項１に記載のカートン。
【請求項３】
前記内側フレーム（２０、２１、２２、２３、２４、２５、２６）の各々が、その切欠き部分とその延長部分の間に配置された印刷区域（２０４、２１４、２２４、２３４、２４４、２５４、２６４）を含むことを特徴とする請求項１又は請求項２に記載のカートン。
【請求項４】
個々の前記内側フレームは、非連結形状を有する切欠き部分及び延長部分を含むことを特徴とする請求項１から請求項３のいずれか１項に記載のカートン。
【請求項５】
総数が１０個の容器を収容することを特徴とする請求項１から請求項４のいずれか１項に記載のカートン。
【請求項６】
ブランク材から複数の個々の内側フレーム（２０、２１、２２、２３、２４、２５、２６）を製造する方法であって、
内側フレームの各前壁（２０１、２１１、２２１、２３１、２４１、２５１、２６１）が、切欠き部分（２０２、２１２、２２２、２３２、２４２、２５２、２６２）及び延長部分（２０３、２１３、２２３、２３３、２４３、２５３、２６３）を有して隣接内側フレームの該延長部分及び該切欠き部分が互いに嵌合するように、各々が前壁（２０１、２１１、２２１、２３１、２４１、２５１、２６１）及び２つの側壁（２００、２０、２２０、２３０、２４０、２５、２６０）を有する個々の内側フレーム（２０、２１、２２、２３、２４、２５、２６）をブランク材から切断する段階、
を含み、
前記個々の内側フレームを切断する段階は、切欠き部分及び延長部分の少なくとも２つの異なる形状を有する複数の内側フレームが１つのブランク材から製造されるように実施される、
ことを特徴とする方法。
【請求項７】
個々の内側フレームを切断する前記段階は、前記ブランク材から内側フレームの複数の連続を連続的に切断する段階を含み、各連続が、内側フレームの同じ所定のシーケンス（２）を含み、
前記シーケンス（２）内の前記内側フレームは、切欠き部分及び延長部分の少なくとも２つの異なる形状を有する、
ことを特徴とする請求項６に記載の方法。
【請求項８】
１つの連続の前記所定のシーケンス（２）の前記内側フレームを切断する段階は、該所定のシーケンス（２）の各個々の内側フレーム（２０、２１、２２、２３、２４、２５、２６）が、同じシーケンス（２）の該内側フレームの残りのものの形状とは異なるその切欠き部分及び延長部分の形状を有するように実施されることを特徴とする請求項７に記載の方法。
【請求項９】
切断手段を準備する段階を更に含み、
前記切断手段は、いくつかの切断ブレードを含み、
切断ブレードの形状が、前記所定のシーケンス（２）の第１の内側フレーム（２０、２１、２２、２３、２４、２５、２６）の前記切欠き部分（２０２、２１２、２２２、２３２、２４２、２５２、２６２）の形状及び該所定のシーケンス（２）の第２の内側フレーム（２０、２１、２２、２３、２４、２５、２６）の延長部分（２０３、２１３、２２３、２３３、２４３、２５３、２６３）の形状を決め、
前記切断手段の前記切断ブレードの少なくとも２つが、互いに異なっている、
ことを特徴とする請求項７又は請求項８のいずれか１項に記載の方法。
【請求項１０】
前記個々の内側フレームを切断する段階は、前記内側フレーム（２０、２１、２２、２３、２４、２５、２６）の前記切欠き部分（２０２、２１２、２２２、２３２、２４２、２５２、２６２）及び延長部分（２０３、２１３、２２３、２３３、２４３、２５３、２６３）が非連結形状を有するように個々の内側フレーム（２０、２１、２２、２３、２４、２５、２６）を切断する段階を含むことを特徴とする請求項６から請求項９のいずれか１項に記載の方法。
【発明の詳細な説明】
【技術分野】
【０００１】
本発明は、いくつかの異なる容器を収容するカートン及びブランク材から複数の個々の内側フレームを製造する方法に関する。本方法は、互いに異なる一連の容器を製造するのに使用することができる。
【背景技術】
【０００２】
ヒンジ蓋容器は、多くの応用分野で使用されている。特に、ヒンジ蓋容器は、例えば、喫煙物品のような消費財のための包装の分野で公知である。消費者に出荷及び配分するために、ヒンジ蓋パックは、典型的にはカートンに集められて詰め込まれ、各々のそのようなカートンは、所定の数のそのようなヒンジ蓋容器、例えば、１０個のそのようなヒンジ蓋容器を収容する。
【０００３】
ヒンジ蓋容器は、箱と箱にヒンジ式に取り付けられた蓋とを含む。典型的には、いわゆる「内側フレーム」は、箱の前壁の内側に取り付けられ、容器が閉じている時に容器の蓋内に到達する。この形式の内側フレームは、典型的には１つの前壁と２つの側壁とを含む。内側フレームの前壁には、内側フレームの上側部分に切欠き部分及び内側フレームの下側部分に延長部分が設けられる。内側フレームの切欠き部分は、箱に収容された消費財へのアクセスを容易にする。
【０００４】
製造において、内側フレームは、典型的には、リールから典型的に供給されるブランク材から必要な時に切断される。リールから供給される連続した材料から個々の内側フレームを切断することは、無駄を作り出さないで実施され、すなわち、１つの特定の内側フレームの切欠き区画の形状は、隣接する内側フレームの延長部分に対応する。これらの切欠き部分及び延長部分は、回転ホイールに取り付けられた数個のブレードを有する回転ホイールを使用して切断するか、又はダイカット工具を使用して切断することができる。
【先行技術文献】
【特許文献】
【０００５】
【特許文献１】ＵＳ−Ａ−４，７１４，０８２
【特許文献２】ＵＳ−Ａ−５，６９２，５２５
【発明の概要】
【発明が解決しようとする課題】
【０００６】
消費者への魅力が増大し、一方で容器の製造コストを実質的に維持するヒンジ蓋容器を提供する必要性が存在する。
【課題を解決するための手段】
【０００７】
本発明によるカートンは、いくつかの容器を含み、各容器は、実質的に直方体の形態を有し、かつ蓋、箱、及び箱に取り付けられた内側フレームを含む。各内側フレームは、１つの前壁と２つの側壁を有し、内側フレームの各前壁は、切欠き部分と延長部分を有する。切欠き及び延長部分の形状は、容器の少なくとも２つに対して異なる。切欠き及び延長部分の形状は、そのようなカートンに収容された容器のうちの２つよりも多くのものに対して異なるとすることができる。このようにして、カートンからの新しい容器が開かれる度に、異なる形状の内側フレームの個々の特徴によって消費者が驚くと考えられる。
【０００８】
公知の包装機械上でのカートンの高速製造では、カートンは、連続的に製造されたヒンジ蓋容器の周囲で自動的に組み立てられる。本発明により、異なる内側フレームを有するヒンジ蓋容器は、以下でより詳細に説明するように連続的に製造される。それによって小規模な修正だけで公知の機械上で本発明によるカートンの高速製造が可能になる。
【０００９】
本発明による容器の構成要素の相対位置を説明するのに使用される用語「前面」、「背面」、「上側」、「下側」、「側部」、「上部」、「底部」、及び他の用語は、蓋が上端にかつヒンジが背面にある直立位置の容器を意味する。直立位置の容器が開いている時に、箱に収容された消費財は、容器の上側端部から取り出すことができる。
【００１０】
好ましくは、内側フレームの各々は、その切欠き部分とその延長部分の間に配置された印刷区域を含む。そのような印刷区域は、例えば、同じカートンに収容された容器の異なるデザインを強化するのに使用することができる。例えば、消費者情報を有する個々のメッセージは、印刷区域上に印刷することができる。個々のメッセージは、個々のメッセージのデータセットから判断されるか又はランダムに取り出すことができる。
【００１１】
好ましくは、本発明によるカートンにおいて、個々の内側フレームは、非連結形状を有する切欠き部分及び延長部分を含む。用語「非連結」は、本明細書を通して、隣接する延長部分及び切欠き部分が、各隣接する内側フレームをそれらが所定のサイズに切断されるストリップの縦方向延長の方向にそれらを引き離すことにより互いに簡単に分離することができるような形状を有することを示すために使用される。すなわち、隣接する切欠き部分及び延長部分は、どのような形態ロッキング部分も持たないが、「連結部分」は、隣接する内側フレームをそれらが分離されるように互いに対して持ち上げるか又は下げるべきであることを要求するであろう。
【００１２】
好ましくは、本発明によるカートンは、総数で１０個の容器を収容するが、あらゆる他の適切な数の容器を収容することができる。
【００１３】
本発明はまた、ブランク材から複数の個々の内側フレームを製造する方法に関する。本方法は、内側フレームの各前壁が切欠き部分及び延長部分を有して隣接する内側フレームの延長部分及び切欠き部分が互いに嵌合するように、各々が１つの前壁と２つの側壁とを有する個々の内側フレームをブランク材から切断する段階を含み、個々の内側フレームを切断する段階は、少なくとも２つの異なる形状の切欠き部分及び延長部分を有する複数の内側フレームが１つのブランク材から製造されるように実施される。
【００１４】
好ましくは、個々の内側フレームを切断する段階は、各連続が同じ所定の内側フレームのシーケンスを含む複数の一連の内側フレームを連続的にブランク材から切断する段階を含み、シーケンス内の内側フレームは、切欠き部分及び延長部分の少なくとも２つの異なる形状を有する。
【００１５】
好ましくは、異なる内側フレームを有する容器は、本発明の方法に従って連続的に製造される。すなわち、カートンは、本発明によりカートンを製造するために公知の包装機械上で所定の数の連続的に製造された容器の周囲で組み立てることができる。
【００１６】
好ましくは、１つの連続した所定のシーケンスの内側フレームを切断する段階は、所定のシーケンスの各個々の内側フレームが、同じシーケンスの内側フレームの残りのものの形状とは異なるその切欠き部分及び延長部分の形状を有するように実施される。従って、１つのシーケンスの各内側フレームは、１つの連続内で独特の形状を有し、すなわち、１つの連続内の異なる形状の内側フレームの数を最大にする。
【００１７】
好ましくは、本方法は、切断手段を準備する段階を更に含み、切断手段は、いくつかの切断ブレードを含み、切断ブレードの形状が、所定のシーケンスの第１の内側フレームの切欠き部分の形状と所定のシーケンスの第２の内側フレームの延長部分の形状とを決め、切断手段の切断ブレードの少なくとも２つは、互いに異なる。好ましくは、切断手段は、回転切断手段である。代替的に、平面ダイカット手段も可能である。
【００１８】
好ましくは、個々の内側フレームを切断する段階は、内側フレームの切欠き部分及び延長部分が非連結形状を有する個々の内側フレームを切断する段階を含む。
【００１９】
本発明による容器は、直角の縦方向縁部及び直角の横方向縁部を有する直方体の形状とすることができる。用語「縦方向」は、容器の底部から上部の又はその逆の方向を意味する。内側フレームのブランク材では、用語「縦方向」は、内側フレームの側壁の外縁に平行な方向を意味する。用語「横方向」は、縦方向と垂直な方向を意味する。
【００２０】
代替的に、容器は、１つ又はそれよりも多くの丸形縦方向縁部、丸形横方向縁部、傾斜付き縦方向縁部、又は傾斜付き横方向縁部、又はその組合せを含むことができる。例えば、本発明による容器は、非限定的に以下のものを含むことができる。
−前壁上に１つ又は２つの縦方向丸形又は傾斜付き縁部、及び／又は
−後壁上に１つ又は２つの縦方向丸形又は傾斜付き縁部、
−前壁上に１つ又は２つの横方向丸形又は傾斜付き縁部、及び／又は
−後壁上に１つ又は２つの横方向丸形又は傾斜付き縁部、
−前壁上に１つの縦方向丸形縁部及び１つの縦方向傾斜付き縁部、及び／又は
−後壁上に１つの横方向丸形縁部及び１つの横方向傾斜付き縁部、
−前壁上に１つ又は２つの横方向丸形又は傾斜付き縁部、及び前壁上に１つ又は２つの縦方向丸形又は傾斜付き縁部、
−第１の側壁上に２つの縦方向丸形又は傾斜付き縁部、又は第２の側壁上に２つの横方向丸形又は傾斜付き縁部。
【００２１】
容器が、１つ又はそれよりも多くの丸形縁部を含み、かつ積層ブランク材から作られる場合、好ましくは、ブランク材は、３つ、４つ、５つ、６つ、又は７つの切込み線又は折り畳み線を含み、組み立てられた容器に丸形縁部を形成する。切込み線又は折り畳み線は、容器の内側又は容器の外側のいずれかになるようにすることができる。好ましくは、切込み線又は折り畳み線は、約０．３ｍｍと４ｍｍの間だけ互いに離間させることができる。
【００２２】
好ましくは、切込み線又は折り畳み線の間隔は、積層ブランク材の厚みの関数である。好ましくは、切込み線又は折り畳み線の間の間隔は、積層ブランク材の厚みよりも約０．５倍から約４倍大きい。
【００２３】
容器が、１つ又はそれよりも多くの傾斜付き縁部を含む場合、好ましくは、傾斜付きの１つ又はそれよりも多くの縁部は、約１ｍｍと約１０ｍｍの間の幅を有し、好ましくは、約２ｍｍと約６ｍｍの間の幅を有する。代替的に、容器は、容器の縁部上に２つの異なる斜面を形成するように、離間した３つの平行な切込み線又は折り畳み線によって形成された二重傾斜部を含むことができる。
【００２４】
矩形の横方向断面を有する容器の代替として、容器は、例えば、三角形、四角形、又は六角形のような多角形断面、又は長円形、半長円形、円形、又は半円形の断面を有することができる。
【００２５】
容器が、傾斜付き縁部を含み、かつ積層ブランク材から作られる場合、その斜面は、積層ブランク材の２つの平行な切込み線又は折り畳み線によって形成することができる。切込み線又は折り畳み線は、第１の壁と第２の壁の間の縁部に対して対称に配置することができる。代替的に、切込み線又は折り畳み線は、斜面が容器の第２の壁の中よりも容器の第１の壁の中により遠くまで延びるように、第１の壁と第２の壁の間の縁部に対して非対称に配置することができる。
【００２６】
容器は、以下に限定されるものではないが、厚紙、板紙、プラスチック、金属、又はその組合せを含むあらゆる適切な材料から形成することができる。好ましくは、厚紙は、平方メートルあたり約１００グラムと平方メートルあたり約３５０グラムの間の重量を有する。
【００２７】
本発明による容器は、様々な消費財のためのパッケージとして使用することができる。特に好ましい実施形態では、本発明による容器は、喫煙物品を包装するのに使用される。本発明による容器は、以下に限定されるものではないが、公知の着火端部シガレット、シガー又はシガリロ、可燃性燃料要素又は熱源、及びエーロゾル発生基体を含む加熱式喫煙物品、（例えば、ＵＳ−Ａ−４，７１４，０８２に開示する形式のシガレット）、及び電気式喫煙システム（例えば、ＵＳ−Ａ−５，６９２，５２５に開示する形式のシガレット）に使用するための喫煙物品を含む喫煙物品を包装するのに有利に使用することができる。
【００２８】
その寸法を適切に選択することにより、本発明による容器は、総数が異なる喫煙物品、又は配置が異なる喫煙物品を保持するように設計することができる。例えば、その寸法を適切に選択することにより、本発明による容器は、総数が１０と３０の間の喫煙物品を保持するように設計することができる。
【００２９】
本発明による容器は、１つ、２つ、３つ、４つ、又は５つの別々の束の喫煙物品を保持することができる。別々の束は、前壁に対して及び後壁に対して実質的に平行に、又は前壁に対して及び後壁に対して実質的に垂直に配置することができる。
【００３０】
束内では、喫煙物品は、喫煙物品の総数、喫煙物品の寸法、又は容器の断面形状に応じて異なる丁合で配置することができる。例えば、喫煙物品は、５、６、７、８、９、又は１０本の１列の束に配置することができる。代替的に、喫煙物品は、２つ又はそれよりも多くの列に配置することができる。２つ又はそれよりも多くの列は、同じ数の喫煙物品を収容することができる。例えば、喫煙物品は、５、６、７、８、９、又は１０本の２列、５、６、７、８、９、又は１０本の３列、４、５、６、又は７本の４列に配置することができる。代替的に、２つ又はそれよりも多くの列は、互いに対して異なる数の喫煙物品を収容する少なくとも２列を含むことができる。例えば、喫煙物品は、５の列と６の列（５−６）、６の列と７の列（６−７）、７の列と８の列（７−８）、５の中央列と６の外側２列（６−５−６）、５の中央列と７の外側２列、６の中央列と５の外側２列、６の中央列と７の外側２列、７の中央列と６の外側２列、９の中央列と８の外側２列、６の中央列と５の外側１列と７の外側１列（５−６−７）の状態で配置することができる。
【００３１】
本発明による容器は、同じ種類又は銘柄、又は異なる種類又は銘柄の喫煙物品を保持することができる。更に、フィルタなし喫煙物品及び様々なフィルタチップ付きの喫煙物品の両方、並びに異なる長さ（例えば、約４０ｍｍと約１８０ｍｍの間）及び直径（例えば、約４ｍｍと約９ｍｍの間）の喫煙物品を収容することができる。更に、喫煙物品は、風味の強度、吸引抵抗、及び総粒子状物質送出量が異なる場合がある。容器が１つよりも多くの束を含む場合、同じ容器内の各々の束は、上に説明したような同じか又は異なる喫煙物品を保持することができる。
【００３２】
好ましくは、容器の寸法は、喫煙物品の長さと喫煙物品の丁合に適応される。容器の外形寸法は、典型的には、容器内に収容される喫煙物品の束の寸法よりも約０．５ｍｍから約５ｍｍ大きい。
【００３３】
好ましくは、本発明による容器は、容器の上壁から底壁まで測定した高さで約６０ｍｍと約１５０ｍｍの間の高さ、より好ましくは、約７０ｍｍと約１２５ｍｍの間の高さを有する。
【００３４】
好ましくは、本発明による容器は、容器の第１の側壁から第２の側壁まで測定した幅で約１２ｍｍと約１５０ｍｍの間の幅、より好ましくは、約７０ｍｍと約１２５ｍｍの間の幅を有する。
【００３５】
好ましくは、本発明による容器は、容器（箱と蓋の間にヒンジを含む）の前壁から後壁まで測定した深さで約６ｍｍと約１００ｍｍの間の深さ、より好ましくは、約１２ｍｍと約２５ｍｍの間の深さを有する。
【００３６】
好ましくは、容器の高さ対容器の深さの比率は、約０．３対１と約１０対１の間、より好ましくは、約２対１と約８対１の間、最も好ましくは、約３対１と約５対１の間である。
【００３７】
好ましくは、容器の幅対容器の深さの比率は、約１対１と約１０対１の間、より好ましくは、約２対１と約８対１の間、最も好ましくは、約２対１と約３対１の間である。
【００３８】
好ましくは、蓋後壁の高さ対箱後壁の高さの比率は、約０対１（ヒンジが容器の上縁に位置する）から約１対１の間、より好ましくは、約１対５と約１対１０の間、最も好ましくは、約１対６と約１対８の間である。
【００３９】
好ましくは、蓋前壁の高さ対箱前壁の高さの比率は、約１対０（蓋が前壁全体を覆う）から約１対１０の間、より好ましくは、約１対１と約１対５の間、最も好ましくは、約１対２と約１対３の間である。
【００４０】
本発明による容器の外部表面は、製造業者又は銘柄ロゴ、商標、スローガン、及び他の消費者情報及び印しを用いて印刷、エンボス、デボス、又はその他の方法で装飾することができる。代替的に又は追加的に、本発明による容器の外部表面は、ラッカー、金属化材料、ホログラム、発光性材料、又は容器の感触、臭い、又は外観を変えるいずれかの他の材料を用いて少なくとも部分的に覆うことができる。
【００４１】
本発明による容器の内側ハウジングが１つ又はそれよりも多くの喫煙物品の束を収容する場合、喫煙物品は、好ましくは、例えば、金属箔又は金属化紙の内側ライナに包まれる。
【００４２】
容器が喫煙物品を含む場合、容器は、廃棄物のための仕切り（例えば、灰又は吸殻のための）、又は他の消費財、例えば、マッチ、ライター、消火手段、気分転換剤、又は電子機器を更に含むことができる。他の消費財は、容器の外側に取り付けるか、容器の別の仕切りに喫煙物品と共に容器内に収容するか、又はその組合せとすることができる。
【００４３】
好ましくは、外側包装紙は、例えば、高密度又は低密度ポリエチレン又はポリプロピレン、配向ポリプロピレン、塩化ポリビニリデン、セルロースフィルム、又はその組合せの透明なポリマーフィルムである。
【００４４】
添付図面を参照して本発明を単に一例として以下に更に説明する。
【図面の簡単な説明】
【００４５】
【図１】容器の箱の前壁の内面に取り付けられた内側フレームを含む公知のヒンジ蓋容器を示す図である。
【図２】シーケンスの全ての内側フレームが異なる形状を有する本発明による内側フレームのシーケンスの実施形態の上面図である。
【発明を実施するための形態】
【００４６】
図１に示すヒンジ蓋容器１は、直方体の形状を有し、内側フレーム１２と共に箱１０と蓋１１とを含む。喫煙物品の包まれた束は、容器１内に配置される。内側フレーム１２は、切欠き部分１２０と、箱１０個の前壁１００の内面に取り付けられて箱１０から上方に突出する延長部分１２１（破線で範囲を定めた）とを含む。
【００４７】
上述のように、内側フレームは、個々に製造されて箱の前壁の内面に取り付けられる。図２は、リール（図示せず）から供給される連続ストリップ（ブランク材）から切断されたシーケンスを構成することができる７つの内側フレーム２０、２１、２２、２３，２４、２５、及び２６のシーケンス２の実施形態を示している。各内側フレーム２０、２１、２２、２３，２４、２５、２６は、図２で連続した線として示した切断線によって範囲を定められる。図２に見ることができるように、内側フレーム２０、２１、２２、２３，２４、２５、２６の各々は、異なる形状を有する。内側フレーム２０は、２つの側壁２００と１つの前壁２０１とを含む。側壁２００と前壁２０１の間の破線は、内側フレーム２０の折り畳み線を示している。前壁２０１は、いくらか三角形形状の切欠き部分２０２を有する。前壁２０１は、更に、その形状が隣接内側フレームの切欠き部分２１２の形状に対応する延長部分２０３を有する。内側フレーム２１はまた、２つの側壁２１０と、上述の切欠き部分２１２を有する１つの前壁２１１と、その形状が隣接内側フレーム２２の切欠き部分２２２の形状に対応する延長部分２１３とを含む。内側フレーム２２は、２つの側壁２２０と、切欠き部分２２２及びその形状が内側フレーム２３の切欠き部分２３２の形状に対応する延長部分２２３を有する１つの前壁２２１とを含み、内側フレーム２３は、２つの側壁２３０と、切欠き部分２３２及びその形状が隣接内側フレーム２４の切欠き部分２４２の形状に対応する延長部分２３３を有する１つの前壁２３１とを有する。内側フレーム２４は、２つの側壁２４０と、上述の切欠き部分２４２及びその形状が隣接内側フレーム２５の切欠き部分２５２の形状に対応する延長部分２４３を有する１つの前壁２４１とを有し、上述の内側フレーム２５は、２つの側壁２５０と、切欠き部分２５２及びその形状が隣接内側フレーム２６の切欠き部分２６２の形状に対応する延長部分２５３を有する１つの前壁２５１とを有する。内側フレーム２６は、２つの側壁２６０と、切欠き部分２６２及びその形状が隣接内側フレーム（図２には図示せず）の形状に対応する延長部分２６３を有する１つの前壁２６１とを有し、その切欠き部分は、図２に示すシーケンス２が次に新しく始まるので、内側フレーム２０の形状と類似した形状を有する。７つの異なる内側フレームのシーケンスを一例として示すが、１つのシーケンス内にあらゆる他の数の異なるフレームも可能であり、かつ本発明の精神の範囲内と考えられる。しかし、一例として、７つから２０の異なる形状の範囲は、１つのシーケンス内のフレームの異なる形状の妥当な数とすることができる。１０という個数が特に好ましく、カートン内の容器の数に適合する。
【００４８】
図２から分るように、内側フレーム２０の切欠き部分２０２、延長部分２０３及び対応する切欠き部分２１２、延長部分２５３及び対応する切欠き部分２６２、内側フレーム２０の切欠き部分２０２の形状に対応する隣接内側フレーム（図示せず）の延長部分２６３及び対応する切欠き部分は、全てが非連結形状を有する。これは、これらの内側フレームは、個々の内側フレームの切断の後にストリップの縦方向にそれらを単に引き離すことによって互いに分離することができることを意味する。
【００４９】
図２から更に分るように、内側フレーム２２の延長部分２２３及び隣接内側フレーム２３の対応する切欠き部分２３２、内側フレーム２３の延長部分２３３及び内側フレーム２４の対応する切欠き部分２４２、延長部分２４３及び内側フレーム２５の対応する切欠き部分２４３は、全て連結形状を有する。これは、これらの内側フレームは、個々の内側フレームの切断の後にストリップの縦方向にそれらを単に引き離すことによって互いから分離できないことを意味する。代わりに、それらは、それらの形態ロッキング形状の故にそれらを分離するために互いに対して持ち上げるか／下げる必要がある。
【００５０】
非連結形状を有する内側フレーム及び連結形状を有する内側フレームを有する内側フレームのシーケンスが図２に示されているが、内側フレームの１つのタイプの形状（非連結又は連結）、好ましくは、上述の方式で互いから簡単に分離することができる非連結形状を有する内側フレームだけを製造することも同じく可能である。
【００５１】
更に、図２から分るように、内側フレーム２０、２１，２２、２３、２４、２５、２６の各々は、印刷区域２１４、２２４、２３４、２４４、２５４、２６４を含むことができる。この印刷区域は、典型的には内側フレームの形状に関係なく内側フレームが箱に取り付けられた時に可視である。この印刷区域は、箱の魅力を更に改善する印刷物を付加する役目をし、又はその上に位置合せ情報を印刷する役目をすることができる。
【００５２】
既に上述のように、切断する段階は、例えば、それぞれの数のブレードがそれに望ましいシーケンスで取り付けられた（図２の実施形態の場合、７つの異なる切断ブレードを望ましいシーケンスで回転切断ホイールに取り付けることができる）切断ホイールの補助により従来の方式で実施することができる。代替的に、個々の内側フレームを所定サイズに切断するためにダイカット工程を使用することができる。
【００５３】
本発明の実施形態を添付図面の補助を得て説明したが、本発明は、説明した実施形態に限定されず、むしろ本発明の精神から逸脱することなく数々の変更が考えられる。
【符号の説明】
【００５４】
２０、２１、２２、２３、２４、２５、２６  内側フレーム
２００、２１０、２２０、２３０、２４０、２５０、２６０  側壁
２０１、２１１、２２１、２３１、２４１、２５１、２６１  前壁
２０２、２１２、２２２、３２、２４２、２５２、２６２  切欠き部分
２０３、２１３、２２３、２３３、２４３、２５３、２６３  延長部分
【図１】
2012532801.tif 000003
【図２】
2012532801.tif 000004
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
いくつかの連続的に製造された容器を収容するカートンであって、
各容器（１）が、実質的に直方体の形態を有し、かつ蓋（１１）と、箱（１０）と、該箱に取り付けられた内側フレーム（１１、２０、２１、２２、２３、２４、２５、２６）とを含み、各内側フレームが、前壁（２０１、２１１、２２１、２３１、２４１、２５１、２６１）と、２つの側壁（２００、２１０、２２０、２３０、２４０、２５０、２６０）とを含み、内側フレームの各前壁が、切欠き部分（２０２、２１２、２２２、３２、２４２、２５２、２６２）及び延長部分（２０３、２１３、２２３、２３３、２４３、２５３、２６３）を有し、
前記切欠き及び延長部分の形状が、前記容器の少なくとも２つに対して異なっている、
ことを特徴とするカートン。
【請求項２】
同じカートン内に収容された前記容器の前記内側フレーム（２０、２１、２２、２３、２４、２５、２６）の各々の前記切欠き部分（２０２、２１２、２２２、２３２、２４２、２５２、２６２）の前記形状は、該同じカートンに収容された全ての他の容器の前記内側フレームの前記切欠き部分の前記形状とは異なることを特徴とする請求項１に記載のカートン。
【請求項３】
前記内側フレーム（２０、２１、２２、２３、２４、２５、２６）の各々が、その切欠き部分とその延長部分の間に配置された印刷区域（２０４、２１４、２２４、２３４、２４４、２５４、２６４）を含むことを特徴とする請求項１又は請求項２に記載のカートン。
【請求項４】
個々の前記内側フレームは、非連結形状を有する切欠き部分及び延長部分を含むことを特徴とする請求項１から請求項３のいずれか１項に記載のカートン。
【請求項５】
ブランク材から複数の個々の内側フレーム（２０、２１、２２、２３、２４、２５、２６）を製造する方法であって、
内側フレームの各前壁（２０１、２１１、２２１、２３１、２４１、２５１、２６１）が、切欠き部分（２０２、２１２、２２２、２３２、２４２、２５２、２６２）及び延長部分（２０３、２１３、２２３、２３３、２４３、２５３、２６３）を有して隣接内側フレームの該延長部分及び該切欠き部分が互いに嵌合するように、各々が前壁（２０１、２１１、２２１、２３１、２４１、２５１、２６１）及び２つの側壁（２００、２０、２２０、２３０、２４０、２５、２６０）を有する個々の内側フレーム（２０、２１、２２、２３、２４、２５、２６）をブランク材から切断する段階、
を含み、
前記個々の内側フレームを切断する段階は、切欠き部分及び延長部分の少なくとも２つの異なる形状を有する複数の内側フレームが１つのブランク材から製造されるように実施される、
ことを特徴とする方法。
【国際調査報告】
2012532801.tif 000005
2012532801.tif 000006
2012532801.tif 000007